(57)【特許請求の範囲】
【請求項１】
軸方向に沿って巻線が巻回された第１筒状胴部と、前記第１筒状胴部の前記軸方向の両端に設けられ第１段差部が形成された第１端子台と、第１端子を有する樹脂からなる第１ボビンと、
軸方向に沿って巻線が巻回された第２筒状胴部と、前記第２筒状胴部の前記軸方向の両端に設けられ第２段差部が形成された第２端子台と、第２端子を有する樹脂からなる第２ボビンと、
前記第１筒状胴部と前記第２筒状胴部の前記軸方向が互いに並行に配された状態で、前記第１ボビンと前記第２ボビンを位置決めする樹脂からなるケースと、
前記第１筒状胴部と前記第２筒状胴部に脚部が挿入されてコモンモードの閉磁路を形成するコモンモードコアと、
ノーマルモードの磁路を形成するノーマルモードコアと、を備え、
前記ノーマルモードコアは、２つの腕部と１つの脚部を有するＴ型に形成されており、
前記ケースには、前記ノーマルモードコアを固定する筒状の保持部と、前記保持部の両端からそれぞれ突出して形成され、前記第１段差部と位置決めされる第１位置決め部および前記第２段差部と位置決めされる第２位置決め部が設けられており、
前記保持部は、前記第１筒状胴部と前記第２筒状胴部の間に配され、
前記ノーマルモードコアは、前記脚部が前記保持部に上部から挿入されて固定され、
前記ノーマルモードコアの前記脚部と前記コモンモードコアの間には、前記軸方向において隙間が設けられており、
前記ノーマルモードコアの前記腕部と前記コモンモードコアの間には、前記脚部の挿入方向において隙間が設けられている、
ことを特徴とするラインフィルタ。
【請求項２】
前記保持部は、有底四角筒状部であることを特徴とする請求項１に記載のラインフィルタ。
【請求項３】
前記保持部は、前記ノーマルモードコアの挿入方向において前記ノーマルモードコアが当接する当接部を有し、前記ノーマルモードコアが前記保持部に挿入されて前記当接部に当接していることを特徴とする請求項２に記載のラインフィルタ。
【請求項４】
前記ノーマルモードコアの上端は、前記保持部の上端と同一の高さ以下に配されていることを特徴とする請求項３に記載のラインフィルタ。
【発明の詳細な説明】
【技術分野】
【０００１】
本発明は、各種の電子機器に使用されるラインフィルタに関する。
【背景技術】
【０００２】
例えば、図１３に示すような特許文献１のコモンモードチョークコイル１００は、巻線１０１にコモンモード（同相）ノイズ電流が流れると、巻線により磁性体コア１０２内にそれぞれ同一方向に磁束が発生する。この磁束は磁性体コア１０２内を周回しながら消費される。一方、磁性部材１０３を設けることにより、ノーマルモードの磁路の実効透磁率が上がり、また、その実効透磁率の大きい磁路（磁性部材およびコア部材）に磁束が集中する。そのため、ノーマルモードインダクタンス成分が大きくなり、強いノーマルモードノイズも除去することができるコモンモードチョークコイルが得られる。このようなコモンモードチョークコイルを製造する場合、磁性体コア１０２と磁性部材１０３には寸法偏差がある。従って、磁性体コア１０２と磁性部材１０３との間には偏差を吸収するための隙間が必要となり、磁性部材１０３の位置がばらつき、ノーマルモードインダクタンスがばらつく。そして、ノーマルモードインダクタンスが低下すると、ノイズ除去効果が弱まり、逆に、ノーマルモードインダクタンスが増加すると、ノーマルモードの磁束により磁性体コアが磁気飽和し易くなるという問題を生じる。
【０００３】
一方、図１３のコモンモードチョークコイルが抱える上記の問題を解決するために、特許文献２には図１４に示す構成を有するコモンモードチョークコイルが開示されている。
図１４のコモンモードチョークコイル１１０では、筒状胴部を有する二つのボビン１１１と、ボビン１１１の各々の筒状胴部１１２に巻回された巻線１１２ａと、筒状胴部１１２の穴に脚部が挿通され、コモンモードの閉磁路を構成する磁性体コア１１３と、隣接する二つのボビン１１１の間に配設した、ノーマルモードの磁路を形成するための磁性部材１１４とを備え、磁性体コア１１３と磁性部材１１４が当接している箇所の少なくとも１箇所において、磁性体コア１１３の内側周面および磁性部材１１４の外側周面のいずれか一方に磁性体コア１１３と磁性部材１１４の相対的位置決めをするための突起１１５を設けている。
【０００４】
この突起により、磁性体コアと磁性部材の相対的位置のばらつきが小さくなり、ノーマルモード磁路の実効透磁率が略一定となり、ノーマルモードインダクタンスのばらつきが抑えられる。この結果、磁気飽和し難く、かつ、ノイズ除去効果の優れたコモンモードチョークコイルを得ることができる。
【先行技術文献】
【特許文献】
【０００５】
【特許文献１】特開２００３−２２４０１２号公報
【特許文献２】特開２００５−３４０６７０号公報
【発明の概要】
【発明が解決しようとする課題】
【０００６】
しかしながら、磁性体コアと磁性部材は、磁性体コアあるいは磁性部材の外周面に設けられた突起を押圧して潰しているため、組立時に磁性体コアと磁性部材に割れが生じる恐れや、組立後に押圧により発生する残留応力により磁性体コアと磁性部材に割れが生じる恐れにより、信頼性が低下する可能性がある。
また、従来例のようなコモンモードチョークコイルを組み立てる場合、外形寸法がばらつきやすい焼結体コアの外形と、ボビンの内周との当接により、別体の２つのボビンが位置決めされているため、別体の２つのボビンにそれぞれ設けられた端子間は精度よく位置決めしづらく、この端子が挿入される基板孔に入りづらく取付作業性が低下してしまう。
【０００７】
そこで本発明は、従来技術が抱える上記課題を解決し得るラインフィルタを提供しようとするものである。
【課題を解決するための手段】
【０００８】
上記の課題を解決するため、本発明のラインフィルタは、
軸方向に沿って巻線が巻回された第１筒状胴部と、前記第１筒状胴部の前記軸方向の両端に設けられ第１段差部が形成された第１端子台と、第１端子を有する樹脂からなる第１ボビンと、
軸方向に沿って巻線が巻回された第２筒状胴部と、前記第２筒状胴部の前記軸方向の両端に設けられ第２段差部が形成された第２端子台と、第２端子を有する樹脂からなる第２ボビンと、
前記第１筒状胴部と前記第２筒状胴部の前記軸方向が互いに並行に配された状態で、前記第１ボビンと前記第２ボビンを位置決めする樹脂からなるケースと、
前記第１筒状胴部と前記第２筒状胴部に脚部が挿入されてコモンモードの閉磁路を形成するコモンモードコアと、
ノーマルモードの磁路を形成するノーマルモードコアと、を備え、
前記ノーマルモードコアは、２つの腕部と１つの脚部を有するＴ型に形成されており、
前記ケースには、前記ノーマルモードコアを固定する筒状の保持部と、前記保持部の両端からそれぞれ突出して形成され、前記第１段差部と位置決めされる第１位置決め部および前記第２段差部と位置決めされる第２位置決め部が設けられており、
前記保持部は、前記第１筒状胴部と前記第２筒状胴部の間に配され、
前記ノーマルモードコアは、前記脚部が前記保持部に上部から挿入されて固定され、
前記ノーマルモードコアの前記脚部と前記コモンモードコアの間には、前記軸方向において隙間が設けられており、
前記ノーマルモードコアの前記腕部と前記コモンモードコアの間には、前記脚部の挿入方向において隙間が設けられている、ことを特徴とする。
【０００９】
本発明のラインフィルタでは、さらなる好ましい特徴として、  「前記保持部は、有底四角筒状部であること」、  「前記保持部は、前記ノーマルモードコアの挿入方向において前記ノーマルモードコアが当接する当接部を有し、前記ノーマルモードコアが前記保持部に挿入されて前記当接部に当接していること」、  「前記ノーマルモードコアの上端は、前記保持部の上端と同一の高さ以下に配れていること」、を含むものである。
【発明の効果】
【００１０】
本発明のラインフィルタによれば、第１ボビンと第２ボビンとケースが、外形寸法がばらつきにくい樹脂から形成されている。
そして、第１ボビンと第２ボビンが、ケースの第１位置決め部と第２位置決め部により位置決めされているため、別体の２つのボビンにそれぞれ設けられた端子間は精度よく位置決めできる。
また、ケースによって位置決めされた第１筒状胴部と第２筒状胴部にコモンモードコアの脚部が挿入されて、ノーマルモードコアがケースの保持部に挿入されて固定されてコモンモードコアと閉磁路を形成している。すると、コモンモードコアとノーマルモードコアとの相対的位置のばらつきを比較的抑えられてノーマルモードコア特性のばらつきを低減できると共に、ノーマルモードコアは、保持部に割れを生じることなく固定できるため、ラインフィルタの信頼性が低下せずにすむ。
【図面の簡単な説明】
【００１１】
【図１】第１の実施形態の完成品のラインフィルタであり、（ａ）は平面図、（ｂ）は（ａ）の矢視Ａ−Ａの正面図、（ｃ）は（ａ）の矢視Ｂ−Ｂの側面図、（ｄ）は（ａ）の矢視Ｃ−Ｃの断面図である。
【図２】第１の実施形態のコモンモードコアとノーマモードコアを示す図であり、（ａ）は図１（ａ）における矢視Ａ−Ａの正面図、（ｂ）は図１（ａ）における矢視Ｃ−Ｃの断面図である。
【図３】第１の実施形態における別体のボビンであり、（ａ）は平面図、（ｂ）は正面図である。
【図４】第１の実施形態におけるコモンモードコアであり、（ａ）は平面図 、（ｂ）は正面図である。
【図５】第１の実施形態におけるノーマルモードコアであり、（ａ）は平面図 、（ｂ）は正面図である。
【図６】第１の実施形態におけるケースであり、（ａ）は平面図、（ｂ）は正面図である。
【図７】第１の実施形態における別体のボビンをケースに組み込んだ状態の平面図である。
【図８】第２の実施形態の完成品のラインフィルタであり、（ａ）は平面図、（ｂ）は（ａ）の矢視Ｄ−Ｄの正面図、（ｃ）は（ａ）の矢視Ｅ−Ｅの側面図、（ｄ）は（ａ）の矢視Ｆ−Ｆの断面図である。
【図９】第２の実施形態におけるコモンモードコアとノーマモードコアを示す図であり、（ａ）は図８（ａ）における矢視Ｄ−Ｄの正面図、（ｂ）は図８（ａ）における矢視Ｆ−Ｆの断面図である。
【図１０】第３の実施形態の完成品のラインフィルタであり、（ａ）は平面図、（ｂ）は（ａ）の矢視Ｇ−Ｇの正面図、（ｃ）は（ａ）の矢視Ｈ−Ｈの側面図、（ｄ）は（ａ）の矢視Ｉ−Ｉの断面図である。
【図１１】第３の実施形態におけるコモンモードコアとノーマモードコアを示す図であり、（ａ）は図１０（ａ）における矢視Ｇ−Ｇの正面図、（ｂ）は図１０（ａ）における矢視Ｉ−Ｉの断面図である。
【図１２】第１の実施形態における別体のボビンをケースに組み込む前の状態の変形例であり、ケースの第１位置決め部５６と第２位置決め部５７の下面に凸部５６ａ、５７ａが設けられ、この凸部と嵌合される凹部（不図示）がボビンの第１段差部３５と第２段差部４５に設けられた状態を示す。
【図１３】従来例のコモンモードチョークコイルを示す断面図である。
【図１４】従来例の別のコモンモードチョークコイルを示す断面図である。
【発明を実施するための形態】
【００１２】
以下、図面に基づいて本発明の実施の形態を例示的に説明する。
【００１３】
（第１の実施形態例）
【００１４】
図１ないし図７において、本実施形態におけるラインフィルタ１は、コモンモードコア１０と、ノーマルモードコア２０と、第１ボビン３０と、第２ボビン４０と、ケース５０と、止め金具６０を有する。
【００１５】
第１ボビン３０と第２ボビン４０は、図１または図３に示すように、非磁性の熱硬化性樹脂からなる別体の２つのボビンである。第１ボビン３０と第２ボビン４０は、第１筒状胴部３１と第２筒状胴部４１と、第１筒状胴部３１と第２筒状胴部４１の両側にそれぞれ設けられた第１鍔部３２と第２鍔部４２と、第１筒状胴部３１と第２筒状胴部４１に巻回された絶縁被膜銅線からなる第１巻線３３と第２巻線４３と、第１筒状胴部３１と第２筒状胴部４１の軸方向（Ｙ方向）両側に設けられた第１端子台３４と第２端子台４４と、第１端子台３４と第２端子台４４下方に固定されたＩ型の第１端子３６と第２端子４６を有する。第１筒状胴部３１と第２筒状胴部４１の断面内側は矩形に形成されており、コモンモードコアの脚部１６の断面外形は、第１筒状胴部３１と第２筒状胴部４１の断面内側より若干小さい矩形に形成されている。第１端子台３４と第２端子台４４の上面には、後述の第１位置決め部５６と第２位置決め部５７が配されて位置決めされる第１段差部３５と第２段差部４５が形成されている。なお、第１ボビン３０と第２ボビン４０は、熱可塑性樹脂で形成されてもよい。
【００１６】
第１巻線３３と第２巻線４３の各々は、第１筒状胴部３１と第２筒状胴部４１の外周に１層巻回されている。第１巻線３３の両終端は、第１ボビン３０に設けられた第１端子３６にそれぞれ電気的に接続されている。第２巻線４３の両終端は、第２ボビン４０に設けられた第２端子４６にそれぞれ電気的に接続されている。また、第１巻線３３と第２巻線４３の外形は、第１ボビンの鍔部３２と第２ボビンの鍔部４２外形の内側に配されている。なお、第１巻線３３と第２巻線４３の各々は、多層に巻回されてもよい。
【００１７】
コモンモードコア１０は、図４に示すように、２つのＵ型のコア１１からなり、このコア１１は、それぞれ腕部１２と、腕部１２の両端から直角方向に延在した脚部１６を有する。
【００１８】
ノーマルモードコア２０は、図５に示すように、２つの腕部２１と１つの脚部２４Ａを有するＴ型に形成されている。
【００１９】
そして、第１筒状胴部３１と第２筒状胴部４１内に、２つのコア１１の脚部１６がそれぞれ挿入されて、コア１１の両脚部１６の先端が第１筒状胴部３１と第２筒状胴部４１内で互いに突き合わされてコア１１がＯ型に形成されてコモンモードの閉磁路が形成されている。そして、コモンモードコアの腕部上端１３は、第１筒状胴部３１と第２筒状胴部４１の内側上面に接触して、コモンモードコア１０は第１ボビン３０と第２ボビン４０に固定される。
【００２０】
ケース５０は、図６に示すように、非磁性の熱可塑性樹脂からなり、有底四角筒状部５１と第１位置決め部５６と第２位置決め部５７を有する。具体的に、ケース５０は、ノーマルモードコア２０の保持部である、側壁５３と底部５２を有する有底四角筒状部５１と、有底四角筒状部５１の軸方向（Ｙ方向）の上下両端から左側に突出して第１ボビン３０の第１段差部３５と位置決めされる２つの第１位置決め部５６と、有底四角筒状部５１の軸方向（Ｙ方向）の上下両端から右側に突出して第２ボビン４０の第２段差部４５と位置決めされる２つの第２位置決め部５７を有する。なお、ケース５０は、熱硬化性樹脂で形成されてもよい。
【００２１】
ケース５０の有底四角筒状部５１は、図１または図７に示すように、第１ボビン３０と第２ボビン４０との間に配されており、ケース５０の第１位置決め部５６が第１ボビン３０に位置決めされつつ、ケース５０の第２位置決め部５７が第２ボビン４０に位置決めされている。具体的に、有底四角筒状部５１は、第１筒状胴部３１と第２筒状胴部４１との間に配されており、第１筒状胴部と第２筒状胴部の鍔部３２、４２外端が有底四角筒状部の側壁５３に当接しつつ、かつ、第１位置決め部５６と第２位置決め部５７が第１段差部３５と第２段差部４５に配されて接着剤により固定されている。これにより、第１ボビン３０と第２ボビン４０がケース５０に図１のＸＹＺ方向に固定されて、第１筒状胴部３１と第２筒状胴部４１が軸方向に並行にケース５０に位置決めされている。
【００２２】
有底四角筒状部５１の開口方向は、第１筒状胴部３１と第２筒状胴部４１の軸方向と直角方向に形成されている。具体的に、有底四角筒状部５１の開口方向は、ノーマルモードコア２０の保持部５１への挿入方向（Ｚ方向）であって、コア１１の両脚部１６の先端が第１筒状胴部３１と第２筒状胴部４１内に挿入される軸方向と直角方向に形成されている。
【００２３】
また、有底四角筒状部５１の開口は、有底四角筒状部５１内に挿入されるノーマルモードコアの脚部２４Ａの外形より若干大きく形成されている。
【００２４】
また、有底四角筒状部５１には、ノーマルモードコアの外形ガイド部５４が形成されている。外形ガイド部５４は、有底四角筒状部の側壁５３の一部である軸方向両側部であり、コモンモードコアの腕部１２とノーマルモードコアの脚部２４Ａの間に配されている。
また、有底四角筒状部の側壁５３の一部である軸方向両側部（外形ガイド部）５４には、開口上端に設けられた切欠部５４ａ（図６（ｂ）参照）が設けられている。
また、ノーマルモードコアの脚部２４Ａの挿入方向の長さは、外形ガイド部５４の挿入方向の長さより短く形成されている（図１（ｄ）参照）。
また、図１（ｄ）において、コモンモードコア１０がケース５０と一体に固定された状態で、挿入方向の外形ガイド部５４は、コモンモードコアの腕部上端１３より、高く形成されている。
【００２５】
また、有底四角筒状部５１は底部（当接部）５２を有している。ノーマルモードコア２０が保持部５１に挿入方向から挿入されると、ノーマルモードコアの脚部２４Ａが当接部５２に当接する前に、ノーマルモードコアの腕部下端２３が、有底四角筒状部５１の外形ガイド部５４に当接して、ノーマルモードコア２０は、有底四角筒状部５１に位置決めされる。
すると、ケース５０の有底四角筒状部５１に位置決めされたノーマルモードコア２０は、第１ボビン３０と第２ボビン４０に固定されたコモンモードコア１０と、挿入方向に位置決めされる。
【００２６】
つまり、図１（ｄ）のように、Ｏ型のコモンモードコア１０内には、有底四角筒状部５１が配され、この有底四角筒状部５１内にノーマルモードコア２０が挿入されている。するとコモンモードコア１０とノーマルモードコア２０は隙間を設けて配されている。
本例では、図２（ａ）に示すように（図１（ａ）の矢視Ａ−Ａから見た時）、挿入方向のノーマルモードコア２０の長さは、挿入方向のコモンモードコア１０の長さより長く形成されており、コモンモードコア１０は、挿入方向のノーマルモードコア２０の中央に重畳されて配されている。すると、コモンモードコア１０とノーマルモードコア２０の磁路は、図２（ｂ）に示すように、コモンモードコアの腕部上端１３とノーマルモードコアの腕部下端２３と、コモンモードコアの腕部側端１４とノーマルモードコアの脚部側端２５と、コモンモードコアの腕部下端１５とノーマルモードコアの脚部側端２５により形成されている。また、コモンモードコアの腕部上端１３とノーマルモードコアの腕部下端２３の隙間は、コモンモードコアの腕部側端１４とノーマルモードコアの脚部側端２５の隙間より小さく形成されている。
【００２７】
止め金具６０は、コ形状に形成されており、２つのコア１１の突き合わせを密着させるため、軸方向から２つのコア１１を挟むようにケース５０の当接部５２側から取り付けられている。
【００２８】
このように、巻線が巻回された第１筒状胴部３１と、第１段差部３５が形成された第１端子台３４と、第１端子３６を有する樹脂からなる第１ボビン３０と、巻線が巻回された第２筒状胴部４１と、第２段差部４５が形成された第２端子台４４と、第２端子４６を有する樹脂からなる第２ボビン４０と、第１筒状胴部３１と第２筒状胴部４１が互いに軸方向に並行に配された状態で、第１ボビン３０と第２ボビン４０を位置決めする樹脂からなるケース５０と、第１筒状胴部３１と第２筒状胴部４１に脚部が挿入されてコモンモードの閉磁路を形成するコモンモードコア１０と、ノーマルモードの磁路を形成するノーマルモードコア２０と、を備えている。
また、第１位置決め部５６が第１段差部３５と位置決めされ、第２位置決め部５７が第２段差部４５と位置決めされ、ノーマルモードコア２０は、保持部５１に挿入されて固定されてコモンモードコア１０と閉磁路を形成している。
【００２９】
このように、第１ボビンと第２ボビンとケースが、外形寸法がばらつきにくい樹脂から形成されている。
すると、第１ボビンと第２ボビンが、ケースの第１位置決め部と第２位置決め部により位置決めされているため、別体の２つのボビンにそれぞれ設けられた端子間は精度よく位置決めできる。そのため、この端子が挿入される基板孔に入れやすくなり取付作業性が向上する。
また、ケースによって位置決めされた第１筒状胴部と第２筒状胴部にコモンモードコアの脚部が挿入されており、ノーマルモードコアがケースの保持部（有底四角筒状部）に挿入されて固定されてコモンモードコアと閉磁路を形成している。すると、コモンモードコアとノーマルモードコアとの相対的位置のばらつきを比較的抑えられてノーマルモードコア特性のばらつきを低減できると共に、ノーマルモードコアは、保持部に割れを生じることなく固定できるため、ラインフィルタの信頼性が低下せずにすむ。
すなわち、ノーマルモードコアの腕部下端２３は、有底四角筒状部５１の外形ガイド部５４に当接して、ノーマルモードコア２０は、有底四角筒状部５１に位置決めされる。すると、ケース５０の有底四角筒状部５１に固定されたノーマルモードコア２０は、第１ボビン３０と第２ボビン４０に固定されたコモンモードコア１０と、挿入方向で位置決めされている。その結果、ノーマルモードコアの腕部下端２３は、コモンモードコアの腕部上端１３と、挿入方向で、精度よく位置決めできる。
また、従来例のような構成では、磁性体コアが磁性部材の突起により位置決めされているため、耐衝撃性が低下して信頼性が低下してしまう可能性がある。
一方、ノーマルモードコアがケースの保持部（有底四角筒状部）に挿入されて固定されてコモンモードコアと閉磁路を形成している。
すると、コモンモードコアとノーマルモードコアとの相対的位置のばらつきを比較的抑えられてノーマルモードコア特性のばらつきを低減できると共に、ノーマルモードコアは、保持部に割れを生じることなく固定できるため、ラインフィルタの信頼性が低下せずにすむ。
【００３０】
また、保持部は、第１筒状胴部と第２筒状胴部の間に配された有底四角筒状部であり、保持部の開口方向は、第１筒状胴部と第２筒状胴部の軸方向と直角方向に形成されているため、ノーマルモードコアが保持部に挿入されることで、ノーマルモードコアは、コモンモードコアと接触したり割れを生じることなく固定できる。
【００３１】
（第２の実施形態例）
次に、本発明の第２の実施形態例に係るラインフィルタの構成を図８または図９により説明する。
図８または図９において、図１ないし図７中の部材と同一の部材には同一の符号を付しており、これらの部材については説明を省略する。
【００３２】
第１実施形態例では、ノーマルモードコアの腕部下端２３が、有底四角筒状部５１の外形ガイド部５４に当接して、ノーマルモードコア２０は、有底四角筒状部５１に位置決めされるが、第２実施形態例では、ノーマルモードコアの脚部２４Ｂが当接部５２に当接して位置決めされている。
つまり、第１実施形態例では、図１（ｄ）において、コモンモードコア１０がケース５０と一体に固定された状態で、挿入方向の外形ガイド部５４は、コモンモードコアの腕部上端１３より高く形成されており、ノーマルモードコアの脚部２４Ａの挿入方向の長さは、外形ガイド部５４の挿入方向の長さより短く形成されているが、第２実施形態例では、図８（ｄ）において、コモンモードコア１０がケース５０と一体に固定された状態で、挿入方向の外形ガイド部５５は、コモンモードコアの腕部上端１３と同じ高さに形成されており、ノーマルモードコアの脚部２４Ｂの挿入方向の長さは、外形ガイド部５５の挿入方向の長さより長く形成されている。
ノーマルモードコア２０が保持部５１に挿入方向から挿入されると、ノーマルモードコアの腕部下端２３が外形ガイド部５５に当接することなく、ノーマルモードコアの脚部２４Ｂは当接部５２に当接する。
【００３３】
そして、本例では、コモンモードコアの脚部１６が第１筒状胴部３１と第２筒状胴部４１内に配されてコモンモードの閉磁路が形成された状態で、ノーマルモードコア２０が有底四角筒状部５１内に挿入されて当接部５２に当接すると、挿入方向におけるコモンモードコアの腕部上端１３とノーマルモードコアの腕部下端２３との隙間を調整できノーマルモード特性を調整できて、ノーマルモードコア特性のばらつきを低減できるものである。
【００３４】
具体的には、挿入方向において、ノーマルモードコアの腕部下端２３から脚部下端２６までの長さを変えたノーマルモードコア２０を複数用意する。この場合、挿入方向の腕部の長さを変えることなく挿入方向におけるノーマルモードコア２０の全長を変えたものである。そして、要求されるノーマルモード特性に応じて異なるノーマルモードコアから一つが選択されて、そのノーマルモードコアが有底四角筒状部５１内に挿入されてノーマルモードコアの脚部下端２６が当接部５２に当接されると、挿入方向におけるコモンモードコアの腕部上端１３とノーマルモードコアの腕部下端２３との隙間を調整できる。これにより、挿入方向におけるコモンモードコアの腕部上端１３とノーマルモードコアの腕部下端２３との磁束を調整できてノーマルモード特性を調整できて、ノーマルモードコア特性のばらつきを低減できるものである。
【００３５】
なお、要求されるノーマルモード特性に応じて異なるノーマルモードコアからどれか一つが選択されても、コモンモードコアの腕部側端１４とノーマルモードコアの脚部側端２５と、コモンモードコアの腕部下端１５とノーマルモードコアの脚部側端２５との磁束は変わらないものである。
【００３６】
従来例のような構成では、磁性体コアの挿入方向における磁性体コアと磁性部材との隙間を調整するには、磁性体コアあるいは磁性部材の突起を押圧して潰す必要があり、磁性体コアと磁性部材の割れを考慮しながら組立することになり、ノーマルモード特性の調整が容易でないと考えられる。
【００３７】
一方、本例の保持部５１は、ノーマルモードコアの挿入方向においてノーマルモードコア２０が当接する当接部５２を有し、ノーマルモードコア２０が保持部５１に挿入されて当接部５２に当接すると、ノーマルモードコア２０の挿入方向におけるコモンモードコアの腕部上端１３とノーマルモードコアの腕部下端２３との隙間により、コモンモードコアとノーマルモードコアの磁束を調整できる。つまり、複数の異なるノーマルモードコアを複数用意して、要求されるノーマルモード特性に応じて複数のノーマルモードコアの中から一つが選択されて、ノーマルモードコアが保持部に挿入されて当接部に当接して固定されることで、ノーマルモードコアの割れを生じることなくノーマルモード特性が容易に調整できて、ノーマルモードコア特性のばらつきを低減できるものである。
【００３８】
本例のノーマルモードコア２０は、２つの腕部２１と１つの脚部２４Ｂを有するＴ型を用いており、Ｔ型の脚部２４Ｂが保持部５１に脚部下端２６から挿入されて、脚部下端２６が当接部５２に当接すると、ノーマルモードコア２０の挿入方向におけるノーマルモードコアの腕部下端２３とコモンモードコアの腕部上端１３との隙間が設定されてノーマルモード特性を調整できる。
【００３９】
そして、コモンモードコアの腕部上端１３とノーマルモードコアの腕部下端２３の隙間は、コモンモードコアの腕部側端１４とノーマルモードコアの脚部側端２５の隙間より小さく形成されている。すると、コモンモードコアの腕部上端１３とノーマルモードコアの腕部下端２３の隙間が、コモンモードコアの腕部側端１４とノーマルモードコアの脚部側端２５の隙間より大きく形成された場合に比べて、コモンモードコアの腕部上端１３とノーマルモードコアの腕部下端２３の隙間を少し調整すると、コモンモードコアの腕部上端１３とノーマルモードコアの腕部下端２３の磁束を大きく調整でき、磁束の調整幅を大きくできる。
【００４０】
よって、第２実施形態例は、第１実施形態例よりも、コモンモードコアとノーマルモードコアとの相対的位置のばらつきを抑えにくいものの、ノーマルモードコア特性のばらつきを低減できると共に、ノーマルモードコアは、保持部に割れを生じることなく固定できるため、ラインフィルタの信頼性が低下せずにすむ。
【００４１】
また、ノーマルモードコア２０が、有底四角筒状部５１に挿入されて当接部５２に当接した際、ノーマルモードコアの腕部上端２２は、有底四角筒状部５１の開口上端と同一の高さ以下に配され、また、第１ボビン３０と第２ボビン４０の鍔部３２、４２の上端と同一の高さ以下に配されている。
【００４２】
すると、ノーマルモードコア２０が、保持部または第１ボビンと第２ボビンの鍔部から上方に突出して配されてないため、完成したラインフィルタが低背化できると共に、完成したラインフィルタが地面に落下したり、外部から衝撃を加えられたりした時に、ノーマルモードコアに欠けが生じにくくなり、信頼性が低下せずにすむ。
【００４３】
（第３の実施形態例）
次に、本発明の第３の実施形態例に係るラインフィルタの構成を図１０または図１１により説明する。
図１０または図１１において、図１ないし図９中の部材と同一の部材には同一の符号を付しており、これらの部材については説明を省略する。
【００４４】
第２の実施形態例のノーマルモードコア２０は、２つの腕部２１と１つの脚部２４Ｂを有するＴ型であるが、第３の実施形態例のノーマルモードコア２７は、四角形状に形成されているものである。
【００４５】
図１１（ａ）に示すように（図１０（ａ）の矢視Ｇ−Ｇから見た時）、挿入方向のノーマルモードコア２７の長さは、挿入方向のコモンモードコア１０の長さより長く形成されており、コモンモードコア１０は、挿入方向のノーマルモードコア２７の中央に重畳されて配されている。また、コモンモードコア１０とノーマルモードコア２７の磁路は、図１１（ｂ）に示すように、コモンモードコアの腕部上端１３とノーマルモードコアの脚部側端２８と、コモンモードコアの腕部側端１４とノーマルモードコアの脚部側端２８と、コモンモードコアの腕部下端１５とノーマルモードコアの脚部側端２８により形成されている。
【００４６】
そして、本例では、ノーマルモードコア２７が有底四角筒状部５１内に挿入されて当接部５２に当接すると、コモンモードコアの腕部１２とノーマルモードコアの側端２８により、ノーマルモード特性を調整できる。
具体的には、挿入方向におけるノーマルモードコアの長さのみ変えたノーマルモードコアを複数用意する。そして、要求されるノーマルモード特性に応じて複数のノーマルモードコア中から一つが選択されて、そのノーマルモードコアが有底四角筒状部内に挿入されてノーマルモードコアの下端が当接部に当接して固定されることにより、コモンモードコアの腕部上端１３とノーマルモードコアの側端２８の磁束を調整でき、ノーマルモード特性を調整できる。
【００４７】
なお、要求されるノーマルモード特性に応じて複数のノーマルモードコア中からどれか一つが選択されても、コモンモードコアの腕部側端１４とノーマルモードコアの側端２８の磁束と、コモンモードコアの腕部下端１５とノーマルモードコアの側端２８の磁束は変わらないものである。
【００４８】
第３の実施形態例は、第２の実施形態例の効果を有すると共に、Ｔ型の腕部を除いた四角形状であるため、形状を簡素化してコスト削減できる。
【００４９】
本発明は以上の実施形態例に限定するものではなく、その要旨の範囲内で種々に変更することができるものである。
【００５０】
以上の説明では、ノーマルモードコアはＴ型と四角形状であるが、これに限定されない。例えば、ノーマルモードコアは、Ｔ型から１つの腕部を除いた、１つの腕部と１つの脚部を有する変形Ｔ型でもよく、変形Ｔ型の脚部が保持部に脚部下端から挿入されて固定されて、コモンモードコアと磁路を形成してもよい。
【００５１】
また、第２、第３実施形態例の説明では、要求されるノーマルモード特性に応じて異なるノーマルモードコアの中から一つが選択されて、そのノーマルモードコアが保持部に挿入されて当接部に当接して固定されることで、ノーマルモード特性を調整できるものであるが、これに限定されない。
例えば、軸方向（Ｙ方向）におけるＴ型の腕部２１の長さを変えたノーマルモードコアでもよい。そして、要求されるノーマルモード特性に応じて異なるノーマルモードコア中から一つが選択されて、そのノーマルモードコアが有底四角筒状部内に挿入されて固定されると、コモンモードコアの腕部上端とノーマルモードコアの腕部下端の磁束により、ノーマルモード特性を調整できる。なお、この場合、ノーマルモードコアの腕部とコモンモードコアの腕部は、挿入方向からみて少なくとも一部重畳されているものである。
また、例えば、有底四角筒状部内の当接部に、所定の厚みを有する不図示のスペーサを予め配しておき、ノーマルモードコアがスペーサを介して当接部に当接して固定されたものでもよい。この場合、要求されるノーマルモード特性に応じてスペーサの厚みを変えることで、ノーマルモード特性を調整できる。
【００５２】
また、以上の説明では、図１（ｄ）において、紙面左側に向かって保持部５１が開口しており、ノーマルモードコアの脚部２４Ａ、２４Ｂが紙面の左側から右側に向かって保持部５１の開口に挿入されて保持部５１の底部５２に当接して固定されているが、これに限らない。例えば、図１（ｄ）の紙面右側に向かって保持部５１が開口されたケースであって、ノーマルモードコアの脚部２４が紙面の右側から左側に向かってこの保持部の開口に挿入されてこの保持部の底部に当接して固定された構成でもよい（不図示）。この場合の止め金具６０は、軸方向から２つのコア１１を挟むようにこの保持部の底部側から取り付けられる。
【００５３】
また、以上の説明では、第１位置決め部５６と第２位置決め部５７が第１段差部３５と第２段差部４５に配されて接着剤により位置決めされているが、図１２に示すように、第１位置決め部５６と第２位置決め部５７の下面に凸部５６ａ、５７ａが設けられ、この凸部５６ａ、５７ａと嵌合される不図示の凹部が第１段差部３５と第２段差部４５に設けられるように構成してもよい。
【００５４】
また、以上の説明では第１端子３６と第２端子４６はＩ端子であるがＬ端子でもよい。
【００５５】
また、第２実施形態例では、図８（ｄ）において、コモンモードコア１０がケース５０に一体に固定された状態で、挿入方向の外形ガイド部５４は、コモンモードコアの腕部上端１３と同じ高さに形成されており、ノーマルモードコアの脚部２４Ｂの挿入方向の長さは、外形ガイド部５５の挿入方向の長さより長く形成されているが、これに限定されない。図８（ｄ）において、コモンモードコア１０がケース５０と一体に固定された状態で、挿入方向の外形ガイド部５４は、コモンモードコアの腕部上端１３と同じ高さに形成されており、ノーマルモードコアの脚部２４Ｂの挿入方向の長さは、外形ガイド部５５の挿入方向の長さより短く形成されたものでもよい。この場合、ノーマルモードコア２０が保持部５１に挿入方向から挿入されると、ノーマルモードコアの腕部下端２３が外形ガイド部５５に接触すると共に、ノーマルモードコアの腕部下端２３はコモンモードコアの腕部上端１３と接触して固定される。
【符号の説明】
【００５６】
１        ラインフィルタ
１０      コモンモードコア
１１      コア
１２      コモンモードコアの腕部
１３      コモンモードコアの腕部上端
１４      コモンモードコアの腕部側端
１５      コモンモードコアの腕部下端
１６      コモンモードコアの脚部
２０      ノーマルモードコア
２１      ノーマルモードコアの腕部
２２      ノーマルモードコアの腕部上端
２３      ノーマルモードコアの腕部下端
２４Ａ    ノーマルモードコアの脚部
２４Ｂ    ノーマルモードコアの脚部
２５      ノーマルモードコアの脚部側端
２６      ノーマルモードコアの脚部下端
２７      ノーマルモードコア
２８      ノーマルモードコアの側端
３０      第１ボビン
３１      第１筒状胴部
３２      第１筒状胴部の鍔部
３３      第１巻線
３４      第１端子台
３５      第１段差部
３６      第１端子
４０      第２ボビン
４１      第２筒状胴部
４２      第２筒状胴部の鍔部
４３      第２巻線
４４      第２端子台
４５      第２段差部
４６      第２端子
５０      ケース
５１      有底四角筒状部（ノーマルモードコアの保持部）
５２      有底四角筒状部の底部（当接部）
５３      有底四角筒状部の側壁
５４      有底四角筒状部の側壁の一部である軸方向両側部（外形ガイド部）
５４ａ    切欠部
５５      有底四角筒状部の側壁の一部である軸方向両側部（外形ガイド部）
５６      第１位置決め部
５６ａ    凸部
５７      第２位置決め部
５７ａ    凸部
６０      止め金具
【図１】
0006661360.tif 000002
【図２】
0006661360.tif 000003
【図３】
0006661360.tif 000004
【図４】
0006661360.tif 000005
【図５】
0006661360.tif 000006
【図６】
0006661360.tif 000007
【図７】
0006661360.tif 000008
【図８】
0006661360.tif 000009
【図９】
0006661360.tif 000010
【図１０】
0006661360.tif 000011
【図１１】
0006661360.tif 000012
【図１２】
0006661360.tif 000013
【図１３】
0006661360.tif 000014
【図１４】
0006661360.tif 000015